【手続補正書】
【提出日】平成17年2月10日(2005.2.10)
【手続補正１】
【補正対象書類名】明細書
【補正対象項目名】発明の名称
【補正方法】変更
【補正の内容】
【発明の名称】ユニット及びその連結方法
【手続補正２】
【補正対象書類名】明細書
【補正対象項目名】特許請求の範囲
【補正方法】変更
【補正の内容】
【特許請求の範囲】
【請求項１】
複数のシリンダを軸線方向に積層して組み立てられるユニットにおいて、
連結される一方のシリンダの小径端部の外側に突起を設け、連結される他方のシリンダの大径端部の内側に前記突起の進入を受け入れる進入部と該進入部の一部から前記他方のシリンダの周方向に延び前記突起を収容する収容部とからなる略Ｌ字溝を設けてなり、前記一方のシリンダの突起を前記他方のシリンダの略Ｌ字溝の前記進入部に嵌合した状態で、前記一方のシリンダの小径端部を前記他方のシリンダの大径端部内に差し込み、その後回転させて前記突起を前記溝の収容部内に収容することを特徴とするユニット。
【請求項２】
他方のシリンダに位置決め用溝を設け、該位置決め用溝の底面と該底面と交差する位置決め面との角部を削ると共に、一方のシリンダの突起を複数設けてなり、そのうち少なくとも一つの突起を、前記位置決め用溝に挿入し、両シリンダの回転時に前記突起の側面と前記位置決め用溝の位置決め面とを当接させて回転方向の位置決めを行うことを特徴とする請求項１記載のユニット。
【請求項３】
シリンダの中心線上から見た突起および溝の位置を非対称としたことを特徴とする請求項１または請求項２記載のユニット。
【請求項４】
略Ｌ字溝に突起の動作を規制する規制手段を設けてなり、
前記突起を前記溝の収容部内に収容した後、前記規制手段により前記突起の動作を規制することを特徴とするユニット。
【請求項５】
突起を溝の収容部内に収容した状態で、両シリンダをねじ止めして連結したことを特徴とする請求項１から請求項４のうちいずれか１項記載のユニット。
【請求項６】
ユニットを実装するための筐体を複数のシリンダを軸線方向に積層して組み立てるユニットの連結方法において、
連結される一方のシリンダの小径端部の外側に突起を設け、連結される他方のシリンダの大径端部の内側に前記突起の進入を受け入れる進入部と該進入部の一部から前記他方のシリンダの周方向に延び前期突起を収容する収容部とからなる略Ｌ字溝を設け、前記一方のシリンダの突起を前記他方のシリンダの略Ｌ字溝の前記進入部に嵌合した状態で、前記一方のシリンダの小径端部を前記他方のシリンダの大径端部内に差し込み、その後回転させて前記突起を前記溝の収容部内に収容することを特徴とするユニットの連結方法。
【請求項７】
他方のシリンダに位置決め用溝を設け、該位置決め用溝の底面と該底面と交差する位置決め面との角部を削ると共に、一方のシリンダの突起を複数設け、そのうち少なくとも一つの突起を、前記位置決め用溝に挿入し、両シリンダの回転時に前記突起の側面と前記位置決め用溝の位置決め面とを当接させて回転方向の位置決めを行うことを特徴とする請求項６記載のユニットの連結方法。
【請求項８】
シリンダの中心線上から見た突起および溝の位置を非対称とすることを特徴とする請求項６または請求項７記載のユニットの連結方法。
【請求項９】
略Ｌ字溝に突起の動作を規制する規制手段を設け、
前記突起を前記溝収容部内に収容した後、前記規制手段により前記突起の動作を規制することを特徴とするユニットの連結方法。
【請求項１０】
突起を溝の収容部内に収容した状態で、両シリンダをねじ止めして連結することを特徴とする請求項６から請求項８のうちいずれか１項記載のユニット連結方法。
【手続補正３】
【補正対象書類名】明細書
【補正対象項目名】００１４
【補正方法】変更
【補正の内容】
【００１４】
【課題を解決するための手段】
この発明に係るユニットは、複数のシリンダを軸線方向に積層して組み立てられるユニットにおいて、連結される一方のシリンダの小径端部の外側に突起を設け、連結される他方のシリンダの大径端部の内側に前記突起の進入を受け入れる進入部と該進入部の一部から前記他方のシリンダの周方向に延び前記突起を収容する収容部とからなる略Ｌ字溝を設けてなり、前記一方のシリンダの突起を前記他方のシリンダの略Ｌ字溝の前記進入部に嵌合した状態で、前記一方のシリンダの小径端部を前記他方のシリンダの大径端部内に差し込み、その後回転させて前記突起を前記溝の収容部内に収容することを特徴とするものである。
【手続補正４】
【補正対象書類名】明細書
【補正対象項目名】００１５
【補正方法】変更
【補正の内容】
【００１５】
この発明に係るユニットは、他方のシリンダに位置決め用溝を設け、該位置決め用溝の底面と該底面と交差する位置決め面との角部を削ると共に、一方のシリンダの突起を複数設けてなり、そのうち少なくとも一つの突起を、前記位置決め用溝に挿入し、両シリンダの回転時に前記突起の側面と前記位置決め用溝の位置決め面とを当接させて回転方向の位置決めを行うことを特徴とするものである。
【手続補正５】
【補正対象書類名】明細書
【補正対象項目名】００１６
【補正方法】変更
【補正の内容】
【００１６】
この発明に係るユニットは、シリンダの中心線上から見た突起および溝の位置を非対称としたことを特徴とするものである。
【手続補正６】
【補正対象書類名】明細書
【補正対象項目名】００１７
【補正方法】変更
【補正の内容】
【００１７】
この発明に係るユニットは、略Ｌ字溝に突起の動作を規制する規制手段を設けてなり、前記突起を前記溝の収容部内に収容した後、前記規制手段により前記突起の動作を規制することを特徴とするものである。
【手続補正７】
【補正対象書類名】明細書
【補正対象項目名】００１８
【補正方法】変更
【補正の内容】
【００１８】
この発明に係るユニットは、突起を溝の収容部内に収容した状態で、両シリンダをねじ止めして連結することを特徴とするものである。
【手続補正８】
【補正対象書類名】明細書
【補正対象項目名】００１９
【補正方法】変更
【補正の内容】
【００１９】
この発明に係るユニットの連結方法は、ユニットを実装するための筐体を複数のシリンダを軸線方向に積層して組み立てるユニットの連結方法において、連結される一方のシリンダの小径端部の外側に突起を設け、連結される他方のシリンダの大径端部の内側に前記突起の進入を受け入れる進入部と該進入部の一部から前記他方のシリンダの周方向に延び前記突起を収容する収容部とからなる略Ｌ字溝を設け、前記一方のシリンダの突起を前記他方のシリンダの略Ｌ字溝の前記進入部に嵌合した状態で、前記一方のシリンダの小径端部を前記他方のシリンダの大径端部内に差し込み、その後回転させて前記突起を前記溝の収容部内に収容することを特徴とするものである。
【手続補正９】
【補正対象書類名】明細書
【補正対象項目名】００２０
【補正方法】変更
【補正の内容】
【００２０】
この発明に係るユニットの連結方法は、他方のシリンダに位置決め用溝を設け、該位置決め用溝の底面と該底面と交差する位置決め面との角部を削ると共に、一方のシリンダの突起を複数設け、そのうち少なくとも一つの突起を、前記位置決め用溝に挿入し、両シリンダの回転時に前記突起の側面と前記位置決め用溝の位置決め面とを当接させて回転方向の位置決めを行うことを特徴とするものである。
【手続補正１０】
【補正対象書類名】明細書
【補正対象項目名】００２１
【補正方法】変更
【補正の内容】
【００２１】
この発明に係るユニットの連結方法は、シリンダの中心線上から見た突起および溝の位置を非対称とすることを特徴とするものである。
【手続補正１１】
【補正対象書類名】明細書
【補正対象項目名】００２２
【補正方法】変更
【補正の内容】
【００２２】
この発明に係るユニットの連結方法は、略Ｌ字溝に突起の動作を規制する規制手段を設け、前記突起を前記溝収容部内に収容した後、前記規制手段により前記突起の動作を規制することを特徴とするものである。
【手続補正１２】
【補正対象書類名】明細書
【補正対象項目名】００２３
【補正方法】変更
【補正の内容】
【００２３】
この発明に係るユニットの連結方法は、突起を溝の収容部内に収容した状態で両シリンダをねじ止めして連結することを特徴とするものである。
【手続補正１３】
【補正対象書類名】明細書
【補正対象項目名】００６０
【補正方法】変更
【補正の内容】
【００６０】
【発明の効果】
以上説明したように、この発明に係るユニットによれば、突起と溝とからなる拘束機構を設けたことにより、シリンダの連結に際し、拘束機構でシリンダ同士を仮止めできるので、従来のユニットよりもねじ数を減らすことができ、組立性を向上させることができ、加工コストを下げることができるという効果がある。
【手続補正１４】
【補正対象書類名】明細書
【補正対象項目名】００６１
【補正方法】変更
【補正の内容】
【００６１】
この発明に係るユニットによれば、突起と位置決め用溝とからなる位置決め機構を設けたことにより、シリンダの連結に際し、位置決め精度および組立性を向上させることができるという効果がある。
【手続補正１５】
【補正対象書類名】明細書
【補正対象項目名】００６２
【補正方法】変更
【補正の内容】
【００６２】
この発明に係るユニットによれば、シリンダの中心線上から見た突起および溝の位置を非対称としたことにより、シリンダの連結に際し、回転角度位置決め精度および組立性を向上させることができるという効果がある。
【手続補正１６】
【補正対象書類名】明細書
【補正対象項目名】００６３
【補正方法】変更
【補正の内容】
【００６３】
この発明に係るユニットによれば、略Ｌ字溝に突起の動作を規制する規制手段を設け、突起を溝の収容部内に収容した後、規制手段により突起の動作を規制するようにしたことにより、シリンダ同士の仮止めによる連結をさらに安定化させることができ、組立性を向上させることができるという効果がある。
【手続補正１７】
【補正対象書類名】明細書
【補正対象項目名】００６４
【補正方法】変更
【補正の内容】
【００６４】
この発明に係るユニットによれば、突起を溝の収容部内に収容した状態で両シリンダをねじ止めして連結したことにより、ねじ止めを組立工程の早い段階で行う必要がなく、組立工程の最終段階で行えばよいことになり、手直しや組み直しが生じたときでもねじ止めされていないため分解作業を容易に行うことができ、組立性をさらに向上させることができるという効果がある。
【手続補正１８】
【補正対象書類名】明細書
【補正対象項目名】００６５
【補正方法】変更
【補正の内容】
【００６５】
この発明に係るユニットの連結方法によれば、突起と溝とからなる拘束機構を設けたことにより、シリンダの連結に際し、拘束機構でシリンダ同士を仮止めできるので、従来の連結方法よりもねじ数を減らすことができ、組立性を向上させることができ、加工コストを下げることができるという効果がある。
【手続補正１９】
【補正対象書類名】明細書
【補正対象項目名】００６６
【補正方法】変更
【補正の内容】
【００６６】
この発明に係るユニットの連結方法によれば、突起と位置決め用溝とからなる位置決め機構を設けたことにより、シリンダの連結に際し、位置決め精度および組立性を向上させることができるという効果がある。
【手続補正２０】
【補正対象書類名】明細書
【補正対象項目名】００６７
【補正方法】変更
【補正の内容】
【００６７】
この発明に係るユニットの連結方法によれば、シリンダの中心線上から見た突起および溝の位置を非対称とすることにより、シリンダの連結に際し、回転角度位置決め精度および組立性を向上させることができるという効果がある。
【手続補正２１】
【補正対象書類名】明細書
【補正対象項目名】００６８
【補正方法】変更
【補正の内容】
【００６８】
この発明に係るユニットの連結方法によれば、略Ｌ字溝に突起の動作を規制する規制手段を設け、突起を溝収容部内に収容した後、規制手段により突起の動作を規制することにより、シリンダ同士の仮止めによる連結をさらに安定化させることができ、組立性を向上させることができるという効果がある。
【手続補正２２】
【補正対象書類名】明細書
【補正対象項目名】００６９
【補正方法】変更
【補正の内容】
【００６９】
この発明に係るユニットの連結方法によれば、突起を溝の収容部内に収容した状態で両シリンダをねじ止めして連結したことにより、ねじ止めを組立工程の早い段階で行う必要がなく、組立工程の最終段階で行えばよいことになり、手直しや組み直しが生じたときでもねじ止めされていないため分解作業を容易に行うことができ、組立性をさらに向上させることができるという効果がある。